(57)【要約】【課題】オーディオデータの記録用の記録方式及びファイル単位でデータのアクセスが可能な記録方式の両者の方式により、記録媒体に対してデータの記録及び再生が可能なデータ記録再生装置において、ブランクの記録媒体が装着されたときに方式の選択を容易とする。【解決手段】ディスク記録再生装置１では、ブランクディスクが装着されたとき、そのブランクディスクをオーディオデータの記録用の記録方式（従来のＭＤ方式）又はファイル単位でデータのアクセスが可能な記録方式（次世代のＭＤ方式）のいずれの記録方式で取り扱うかが設定されている。ブランクディスクが装着されたときには、設定されている方式でディスクを取り扱う。【選択図】図１２
2005203003.tif 000002
【特許請求の範囲】
【請求項１】
タイトル単位でオーディオデータのアクセスがされる記録方式であるオーディオフォーマット、及び、ファイル単位でデータのアクセスがされる記録方式であるストレージフォーマットの２つの記録方式が適用可能な記録媒体が装着され、装着された記録媒体に対してデータの記録及び再生を行うメディアドライブ部と、
コンピュータに接続され、当該コンピュータとの間で所定の伝送方式でデータのやり取りを行うインタフェース部と、
上記インタフェース部を介してコンピュータが接続されていない場合に動作し、外部から入力されたオーディオ信号を記録用のオーディオデータとして上記メディアドライブ部に転送し、上記メディアドライブ部から再生されたオーディオデータをオーディオ信号として外部に出力するオーディオ処理部と、
各部の制御を行うシステムコントローラとを備え、
上記システムコントローラには、ブランクの記録媒体が装着されたとき、そのブランクの記録媒体をオーディオフォーマット又はストレージフォーマットのいずれの記録方式で取り扱うかが設定されており、
メディアドライブ部は、上記モードで設定されている記録方式により、上記ブランクの記録媒体に対してデータを記録すること
を特徴とするデータ記録再生装置。
【請求項２】
タイトル単位でオーディオデータのアクセスがされる記録方式であるオーディオフォーマット、及び、ファイル単位でデータのアクセスがされる記録方式であるストレージフォーマットの２つの記録方式が適用可能な記録媒体が装着され、装着された記録媒体に対してデータの記録及び再生を行うメディアドライブ部と、
コンピュータに接続され、当該コンピュータとの間で所定の伝送方式でデータのやり取りを行うインタフェース部と、
上記メディアドライブ部と上記コンピュータとの間で送受信されるデータを記憶するキャッシュメモリと、
上記メディアドライブ部に装着されている記録媒体のディスク管理情報を記憶する管理情報メモリと、
上記インタフェース部を介してコンピュータが接続されていない場合に動作し、外部から入力されたオーディオ信号を記録用のオーディオデータとして上記メディアドライブ部に転送し、上記メディアドライブ部から再生されたオーディオデータをオーディオ信号として外部に出力するオーディオ処理部と、
上記管理情報メモリに記憶されているディスク管理情報に従って各部の制御を行うシステムコントローラとを備え、
上記システムコントローラは、
ブランクの記録媒体が装着されたとき、そのブランクの記録媒体をオーディオフォーマット又はストレージフォーマットのいずれの記録方式で取り扱うかが設定されており、
記録済みの記録媒体が装着されたときには、当該記録媒体に記録されているディスク管理情報を読み出し、上記管理情報メモリに記憶させ、
ブランクの記録媒体が装着されたときには、設定されている記録方式に応じて定まる規定の管理情報を上記管理情報メモリに記憶させ、上記記録媒体に対して最初にデータの記録があった後に、当該ブランクの記憶媒体に上記管理情報メモリに記憶されている規定の管理情報を記録すること
を特徴とするデータ記録再生装置。
【請求項３】
上記システムコントローラは、
ストレージフォーマットに設定されている状態でブランクの記録媒体が装着されたときには、
ストレージフォーマットに対応した管理情報を上記管理情報メモリに記憶させ、
上記インタフェース部にコンピュータが接続され、当該コンピュータからファイル管理情報の読み出し命令があったときに、上記管理情報メモリに格納された管理情報のうちのファイル管理情報を上記キャッシュメモリに記憶させ、コンピュータに対して当該キャッシュメモリに記憶されているファイル管理情報を転送し、
上記記録媒体に対して最初にデータの記録命令があった後に、当該ブランクの記憶媒体に上記管理情報メモリに記憶されている規定の管理情報を記録すること
を特徴とする請求項２記載のデータ記録再生装置。
【請求項４】
上記システムコントローラは、
上記記録媒体に対して最初にデータの記録命令があった後、上記コンピュータによるアクセスのない空き時間に、当該ブランクの記憶媒体に上記管理情報メモリに記憶されている規定の管理情報を逐次記録していくこと
を特徴とする請求項３記載のデータ記録再生装置。
【請求項５】
オーディオフォーマットは、記録媒体上に記録されているオーディオデータの各タイトルを、オーディオデータ管理用のアドレスを用いて管理しているＴＯＣ情報が、当該記録媒体の所定の位置に記録されている方式であり、
ストレージフォーマットは、記録媒体上に記録されている各ファイルを、ファイル管理用のアドレスを用いて管理しているファイル管理情報が、当該記録媒体の所定の位置に記録されている方式であること
を特徴とする請求項２記載のデータ記録再生装置。
【請求項６】
ストレージフォーマットを適用されたときの記録媒体上に記録されているファイルには、オーディオデータが含まれたオーディオファイルと、当該オーディオファイル内に含まれているオーディオデータの各タイトルをオーディオデータ管理用のアドレスを用いて管理している情報が含まれたトラックインフォメーションファイルとが含まれていること
を特徴とする請求項５記載のデータ記録再生装置。
【請求項７】
ストレージフォーマットを適用されたときの記録媒体上には、上記ファイル管理情報及び各ファイルをまとめて１つのタイトルのオーディオデータとしてみなして作成された上記ＴＯＣ情報が、上記オーディオフォーマットのＴＯＣ情報の記録位置と同一位置に記録されていること
を特徴とする請求項６記載のデータ記録再生装置。
【請求項８】
上記記録媒体は、光磁気記録媒体であること
を特徴とする請求項２記載のデータ記録再生装置。
【発明の詳細な説明】
【技術分野】
【０００１】
本発明は、例えば光磁気ディスク等の記憶媒体に対してデータの記録及び再生を行うデータ記録再生装置に関するものである。
【背景技術】
【０００２】
ディジタルオーディオデータを記録再生するための記録媒体として、カートリッジに収納された直径６４ｍｍの光磁気ディスクであるミニディスク（ＭＤ）が広く普及している。ミニディスクに対してオーディオデータの記録再生を行うシステム（以下、ＭＤシステムという。）は、ディスク自体が小型で安価であることから、ポータブルなオーディオデータの記録再生機器として非常に優れている。
【０００３】
しかしながら、現行方式のＭＤシステムは、ＴＯＣ（Table Of Contents）と呼ばれるオーディオデータをタイトル単位で管理する管理情報がディスク上の所定の領域に記録されるフォーマットが採用されており、スタンドアローンで動作することが前提とされている。そのため、現行方式のＭＤシステムは、コンピュータとの親和性が低く、例えばコンピュータのストレージデバイスとして用いるのが難しかった。そこで、本出願人は、ディスク自体は従来のものと同一とし、記録方式のみを変更することにより、コンピュータとの親和性を高めた新方式のフォーマットのＭＤシステムを提案した（例えば、特許文献１参照。）。
【０００４】
この新方式のＭＤシステムでは、ＦＡＴ（File Allocation Table）やディレクトリ構造等のファイル管理情報をディスク上の所定の領域に記録して、当該ディスク内に格納されている情報をファイル単位で管理するようなフォーマットを採用した。このことにより、この新方式のＭＤシステムでは、コンピュータのストレージデバイスとして認識させることができるようになった。
【０００５】
また、新方式のＭＤシステムに採用されるフォーマットには、現行方式のＭＤシステムとの互換性を保つために、ディスク上にＴＯＣを現行のＭＤシステムと同一の記録方式で記録するようにしている。
【０００６】
さらに、本出願人は、現行方式と新方式との両者を兼ね備え、現行方式と新方式とを適応的に選択して記録及び再生を行うＭＤシステムを、上記特許文献１で提案している。
【０００７】
【特許文献１】特開２００３−２９６９４２号公報
【発明の開示】
【発明が解決しようとする課題】
【０００８】
ところで、現行方式及び新方式の両者で適応的に記録再生を行うことが可能なＭＤシステムに対して、ブランクのディスクが装着されたとする。現行方式と新方式とでは記録媒体自体は全く同一であるため、ユーザはブランクディスクが挿入される毎に現行方式又は新方式のいずれかを選択しなければならなく、はなはだ面倒である。
【０００９】
また、現行方式又は新方式のいずれかの方式を選択すると、その選択された方式に対応した管理情報の書き込みが行われるため、以後そのディスクに対しては決定した方式でのみ記録を行わなければならない。しかしながら、現行方式又は新方式のいずれかを選択したとしても、実際にオーディオデータやコンピュータデータの書き込みを行わなかった場合、まだ未記録であるにも関わらず、以後の記録方式が決定されてしまい、使い勝手が良好であるとはいえない。
【００１０】
本発明は、オーディオデータの記録用の記録方式及びファイル単位でデータのアクセスが可能な記録方式の両者の方式により、記録媒体に対してデータの記録及び再生が可能なデータ記録再生装置において、ブランクの記録媒体が装着されたときに方式の選択を容易とするデータ記録再生装置を提案することを目的とする。
【００１１】
また、本発明は、以上のようなデータ記録再生装置であり、さらに、現行方式又は新方式のいずれかを選択したとしても、実体データの記録が行われるまでは、管理情報の記録が行われず、使い勝手のよいデータ記録再生装置を提案することを目的とする。
【課題を解決するための手段】
【００１２】
本発明に係るデータ記録再生装置は、タイトル単位でオーディオデータのアクセスがされる記録方式であるオーディオフォーマット、及び、ファイル単位でデータのアクセスがされる記録方式であるストレージフォーマットの２つの記録方式が適用可能な記録媒体が装着され、装着された記録媒体に対してデータの記録及び再生を行うメディアドライブ部と、コンピュータに接続され、当該コンピュータとの間で所定の伝送方式でデータのやり取りを行うインタフェース部と、上記インタフェース部を介してコンピュータが接続されていない場合に動作し、外部から入力されたオーディオ信号を記録用のオーディオデータとして上記メディアドライブ部に転送し、上記メディアドライブ部から再生されたオーディオデータをオーディオ信号として外部に出力するオーディオ処理部と、各部の制御を行うシステムコントローラとを備え、上記システムコントローラには、ブランクの記録媒体が装着されたとき、そのブランクの記録媒体をオーディオフォーマット又はストレージフォーマットのいずれの記録方式で取り扱うかが設定されており、メディアドライブ部は、上記モードで設定されている記録方式により、上記ブランクの記録媒体に対してデータを記録することを特徴とする。
【００１３】
また、本発明に係るデータ記録再生装置は、タイトル単位でオーディオデータのアクセスがされる記録方式であるオーディオフォーマット、及び、ファイル単位でデータのアクセスがされる記録方式であるストレージフォーマットの２つの記録方式が適用可能な記録媒体が装着され、装着された記録媒体に対してデータの記録及び再生を行うメディアドライブ部と、コンピュータに接続され、当該コンピュータとの間で所定の伝送方式でデータのやり取りを行うインタフェース部と、上記メディアドライブ部と上記コンピュータとの間で送受信されるデータを記憶するキャッシュメモリと、上記メディアドライブ部に装着されている記録媒体のディスク管理情報を記憶する管理情報メモリと、上記インタフェース部を介してコンピュータが接続されていない場合に動作し、外部から入力されたオーディオ信号を記録用のオーディオデータとして上記メディアドライブ部に転送し、上記メディアドライブ部から再生されたオーディオデータをオーディオ信号として外部に出力するオーディオ処理部と、上記管理情報メモリに記憶されているディスク管理情報に従って各部の制御を行うシステムコントローラとを備え、上記システムコントローラは、ブランクの記録媒体が装着されたとき、そのブランクの記録媒体をオーディオフォーマット又はストレージフォーマットのいずれの記録方式で取り扱うかが設定されており、記録済みの記録媒体が装着されたときには、当該記録媒体に記録されているディスク管理情報を読み出し、上記管理情報メモリに記憶させ、ブランクの記録媒体が装着されたときには、設定されている記録方式に応じて定まる規定の管理情報を上記管理情報メモリに記憶させ、上記記録媒体に対して最初にデータの記録があった後に、当該ブランクの記憶媒体に上記管理情報メモリに記憶されている規定の管理情報を記録することを特徴とする。
【発明の効果】
【００１４】
本発明に係るデータ記録再生装置では、ブランクの記録媒体が装着されたとき、そのブランクの記録媒体をオーディオデータの記録用の記録方式（オーディオフォーマット）又はファイル単位でデータのアクセスが可能な記録方式（ストレージフォーマット）のいずれの記録方式で取り扱うかが設定されており、設定されている記録方式によりブランクの記録媒体に対してデータを記録する。
【００１５】
このことにより本発明に係るデータ記録再生装置では、ブランクの記録媒体が装着されたときの記録方式の選択を容易に行うことができる。
【００１６】
また、本発明に係るデータ記録再生装置では、ブランクの記録媒体が装着されたとき、そのブランクの記録媒体をオーディオデータの記録用の記録方式（オーディオフォーマット）又はファイル単位でデータのアクセスが可能な記録方式（ストレージフォーマット）のいずれの記録方式で取り扱うかが設定されており、ブランクの記録媒体が装着されたときには、設定されている記録方式に応じて定まる規定の管理情報を管理情報メモリに記憶させ、記録媒体に対して最初にデータの記録があった後に、当該ブランクの記憶媒体に管理情報メモリに記憶されている規定の管理情報を記録する。
【００１７】
このことにより本発明に係るデータ記録再生装置では、記録方式の選択をしても実体データの記録が行われるまでは管理情報の記録が行われず、そのまま記録媒体を取り外せばその記録媒体は再度ブランクとして取り扱うことができる。
【発明を実施するための最良の形態】
【００１８】
以下、本発明の最良の実施形態として、本発明が適用されたディスク状の光磁気記録媒体の記録再生装置（ディスク記録再生装置）について説明をする。
【００１９】
本実施形態のディスク記録再生装置は、カートリッジに収納された直径約６．４センチのディスク状の光磁気記録媒体に対して、データの記録及び再生を行う装置である。さらに、本実施形態のディスク記録再生装置は、異なる３つの記録フォーマットのディスク状光磁気記録媒体の記録及び再生を行う。一つは、いわゆるミニディスク（登録商標）（以後、従来ＭＤと呼ぶ。）と呼ばれるフォーマットが適用された光磁気ディスクである。もう一つは、「次世代ＭＤ１」と呼ばれるフォーマットが適用された光磁気ディスクである。最後の一つは、「次世代ＭＤ２」と呼ばれるフォーマットが適用された光磁気ディスクである。なお、いわゆるミニディスクはオーディオデータ専用のフォーマットとして用いるのが通常であるが、データ記録用（ＭＤ  ＤＡＴＡ）としても用いられる場合がある。
【００２０】
１．ディスク仕様及びエリア構造
まず、ミニディスク、次世代ＭＤ１及び次世代ＭＤ２の仕様、物理フォーマット及び論理フォーマット等について説明をする。
【００２１】
図１に、従来ＭＤ（ＭＤ  ＤＡＴＡ）、次世代ＭＤ１及び次世代ＭＤ２の仕様を示す。
【００２２】
従来ＭＤの物理仕様は、トラックピッチが１．６μｍ、ピット長が０．５９μｍ／ｂｉｔ、レーザ波長λが７８０ｎｍ、対物レンズの開口数ＮＡが０．４５、ディスク記録方式がグルーブ記録、アドレス方式がシングルスパイラルのグルーブに対して所定の周波数（２２．０５ｋＨｚ）で両側ウォブルを施してその周波数に絶対アドレス（ＡＤＩＰ）をＦＭ変調する方式、変調方式がＥＦＭ（8-14変換）、誤り訂正方式がＡＣＩＲＣ（Advanced Cross Interleave Reed-Solomon Code）、インターリーブ方式が畳み込み方式、冗長度が４６．３％、データ検出方式がビットバイビット方式、ディスク駆動方式がＣＬＶ（Constant Linear Velocity）方式、線速度が１．２ｍ／ｓ、データレートが１３３ＫＢ／ｓ、記録容量が１６４ＭＢ（ＭＤ  ＤＡＴＡとして用いた場合には１４０ＭＢ）、最小書き込み単位が３２セクタと４個のリンクセクタによる３６セクタ、となっている。この従来ＭＤは、トラックに沿って内周側から外周側に向かいデータが記録されていく。
【００２３】
次世代ＭＤ１の物理仕様は、トラックピッチが１．３μｍ、ピット長が０．４４μｍ／ｂｉｔ、レーザ波長λが７８０ｎｍ、対物レンズの開口数ＮＡが０．４５、ディスク記録方式がグルーブ記録、アドレス方式がシングルスパイラルのグルーブに対して所定の周波数（２２．０５ｋＨｚ）で両側ウォブルを施してその周波数に絶対アドレス（ＡＤＩＰ）をＦＭ変調する方式、変調方式がＲＬＬ１−７ＰＰ（Run Length Limited 1-7 Parity Preserve /Prohibit rmtr）方式、誤り訂正方式がＢＩＳ（Burst Indicator Subcode）付きのＲＳ−ＬＤＣ（Read-Solomon Long Distance Code）、インターリーブ方式がブロック完結方式、冗長度が２０．５０％、データ検出方式がＰＲ（１，２，１）ＭＬによるビタビ復号方式、ディスク駆動方式がＣＬＶ（Constant Linear Velocity）方式、線速度が２．４ｍ／ｓ、データレートが４．４ＭＢ／ｓ、記録容量が３００ＭＢ、最小書き込み単位が１６セクタ、となっている。この次世代ＭＤ１は、トラックに沿って内周側から外周側に向かいデータが記録されていく。
【００２４】
このような次世代ＭＤ１は、ディスク自体は従来ＭＤと同一である。従って、従来ＭＤとして使用される記録媒体を、そのまま用いることが可能である。つまり、従来ＭＤとして使用される記録媒体は、従来ＭＤ又は次世代ＭＤ１の両者に用いることができる。
【００２５】
次世代ＭＤ１は、変調方式をＥＦＭからＲＬＬ（１−７）ＰＰ変調方式とすることによってウインドウマージンを０．５から０．６６６としているので、従来ＭＤと比較して１．３３倍の高密度化を実現している。また、次世代ＭＤ１は、記録変調方式をＣＩＲＣ方式からＢＩＳ付きのＲＳ−ＬＤＣ方式及びセクタ構造の差異とビタビ復号を用いる方式にすることによってデータ効率を５３．７％から７９．５％としているので、従来ＭＤと比較して１．４８倍の高密度化を実現している。以上のような仕様により、ディスク自体は従来ＭＤと同一であっても、記録容量を従来ＭＤの２倍程度の３００ＭＢにすることができる。
【００２６】
次世代ＭＤ２の物理仕様は、トラックピッチが１．２５μｍ、ピット長が０．１６μｍ／ｂｉｔ、レーザ波長λが７８０ｎｍ、対物レンズの開口数ＮＡが０．４５、ディスク記録方式がグルーブ記録及び磁壁移動検出（ＤＷＤＤ）方式、アドレス方式がシングルスパイラルのグルーブに対して所定の周波数（２２．０５ｋＨｚ）で両側ウォブルを施してその周波数に絶対アドレス（ＡＤＩＰ）をＦＭ変調する方式、変調方式がＲＬＬ１−７ＰＰ（Run Length Limited 1-7 Parity Preserve /Prohibit rmtr）方式、誤り訂正方式がＢＩＳ（Burst Indicator Subcode）付きのＲＳ−ＬＤＣ（Read-Solomon Long Distance Code）、インターリーブ方式がブロック完結方式、冗長度が２０．５０％、データ検出方式がＰＲ（１，−１）ＭＬによるビタビ復号方式、ディスク駆動方式がＣＬＶ（Constant Linear Velocity）方式、線速度が２．０ｍ／ｓ、データレートが９．８ＭＢ／ｓ、記録容量が１ＧＢ、最小書き込み単位が１６セクタ、となっている。この次世代ＭＤ２は、トラックに沿って内周側から外周側に向かいデータが記録されていく。
【００２７】
次世代ＭＤ２は、筐体外形が従来ＭＤ及び次世代ＭＤ１と同一である。ただし、ディスク自体の構造は異なっている。
【００２８】
次世代ＭＤ２のディスクは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
【００２９】
すなわち、次世代ＭＤ２のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００３０】
また、従来ＭＤ及び次世代ＭＤ１との互換を採るため、光学系、読出方式、サーボ処理等は、同一となっている。ただし、従来ＭＤ及び次世代ＭＤ１と同等の光学系を用いて、上述のように従来より狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、次世代ＭＤ２では、グルーブの溝深さ、傾斜、幅等を変更している。具体的には、グルーブの溝深さを１６０ｎｍ〜１８０ｎｍ、傾斜を６０°〜７０°、幅を６００ｎｍ〜８００ｎｍの範囲と定めている。
【００３１】
つぎに、従来ＭＤ、次世代ＭＤ１及び次世代ＭＤ２のエリア構造について説明をする。
【００３２】
従来ＭＤ及び次世代ＭＤ１のエリア構造を図２に模式的に示す。
【００３３】
従来ＭＤ及び次世代ＭＤ１は、ディスクの最内周側は、プリマスタードエリアとして、ＰＴＯＣ（Premastered Table Of Contents）が設けられている。ここには、ディスク管理情報が物理的な構造変形によるエンボスピットとして記録されている。ＰＴＯＣには、ディスクの総容量、ＵＴＯＣ領域におけるＵＴＯＣ位置、パワーキャリブレーションエリアの位置、データエリアの開始位置、データエリアの終了位置（リードアウト位置）等が管理情報として記録されている。
【００３４】
プリマスタードエリアより外周は、光磁気記録可能なレコーダブルエリアとされ、記録トラックの案内溝としてのグルーブが形成された記録再生可能領域である。このレコーダブルエリアの最内周側は、ＵＴＯＣ（User Table Of Contents）領域であって、このＵＴＯＣ領域には、ＵＴＯＣ情報が記述されるとともに、プリマスタードエリアとの緩衝エリアや、レーザ光の出力パワー調整等のために用いられるパワーキャリブレーションエリアが設けられている。
【００３５】
次世代ＭＤ２のエリア構造例を図３に模式的に示す。
【００３６】
次世代ＭＤ２は、図３に示すように、高密度化を図るためにプリピットを用いない。従って、次世代ＭＤ２には、ＰＴＯＣ領域がない。次世代ＭＤ２には、レコーダブルエリアのさらに内周領域に、著作権保護のための情報、データ改竄チェックのための情報、他の非公開情報等を記録するユニークＩＤエリア（Unique ID；ＵＩＤ）が設けられている。このＵＩＤエリアは、次世代ＭＤ２に適用されるＤＷＤＤ方式とは異なる記録方式で記録されている。
【００３７】
２．ディスク管理情報
つぎに、従来ＭＤ、次世代ＭＤ１及び次世代ＭＤ２のレコーダブルエリアの記録される情報の管理構造について説明をする。
【００３８】
図４は、従来ＭＤのレコーダブルエリアに記録される情報の構造を示している。
【００３９】
従来ＭＤは、レコーダブルエリアの全領域がＥＦＭ変調を用いた従来ＭＤの書き込み方式により記録がされる。また、従来ＭＤには、内周側からＡＤＩＰによるアドレス（１６進数）が設けられている。
【００４０】
従来ＭＤには、内周側から、ＰＣＡエリア、ＵＴＯＣエリア、及び、ユーザエリアが形成されている。
【００４１】
ＰＣＡエリアは、レーザの書込出力を調整するためのパワーキャリブレーションを行う領域であり、ＡＤＩＰアドレスが０００２から始まる領域に形成されている。ＵＴＯＣエリアは、ＵＴＯＣが記録される領域であり、ＡＤＩＰアドレスが０００３から始まる領域に形成されている。ユーザエリアは、オーディオデータが記録される領域であり、ＡＤＩＰアドレスが０００６から始まる領域に形成されている。
【００４２】
なお、ＵＴＯＣには、トラック（オーディオトラック／データトラック）の記録・消去等に応じて書き換えられる管理情報が含まれ、各トラック及びトラックを構成するオーディオデータの開始位置、終了位置、トラック名等を管理している。また、データエリアにおいて未だトラックが記録されていないフリーエリア、すなわち書込可能領域も管理している。
【００４３】
図５は、次世代ＭＤ１のレコーダブルエリアに記録される情報の構造を示している。
【００４４】
次世代ＭＤ１は、レコーダブルエリアが、ＥＦＭ変調を用いた従来ＭＤの書き込み方式で書き込まれるＭＤ互換領域と、１−７ＰＰ変調を用いた次世代ＭＤの書き込み方式で書き込まれる次世代ＭＤ領域との二つの領域に大きく分離されている。従来ＭＤ互換領域は、従来ＭＤとの互換を図るために設けられた領域である。
【００４５】
次世代ＭＤ１には、内周側からＡＤＩＰによるアドレス（１６進数）が設けられている。また、次世代ＭＤ１には、記録されているデータをファイル単位で管理するため、ファイルシステムでのアクセス単位であるクラスタ毎に、論理アドレス（ＬＣＮ：１６進数）も設定されている。もっとも、次世代ＭＤ１の場合、物理的なアクセス位置はウォブルに記録されているＡＤＩＰに基づき行わなければならないので、ＬＣＮは、ＡＤＩＰアドレスを所定規則で変換して得られる単位となっている。具体的には、ＡＤＩＰアドレスの１単位の１／２容量が、ＬＣＮの１クラスタに対応付けがされており、ファイルシステムの管理情報の開始アドレスのＬＣＮ（０２００）が、所定のＡＤＩＰアドレス（００３Ｅ）に対応した位置となるように設定されている。
【００４６】
次世代ＭＤ１には、内周側から、ＰＣＡエリア、ＵＴＯＣエリア、第１のリザーブエリア、アラートサウンドエリア、ガードバンドエリア、第２のリザーブエリア、ＤＤＴ，ＳＲＢエリア、ファイルシステム管理情報エリア、及び、ユーザエリアが形成されている。
【００４７】
ＰＣＡエリアは、レーザの書込出力を調整するためのパワーキャリブレーションを行う領域であり、ＡＤＩＰアドレスが０００２から始まる領域に形成されている。
【００４８】
ＵＴＯＣエリアは、ＵＴＯＣが記録される領域であり、ＡＤＩＰアドレスが０００３から始まる領域に形成されている。第２のリザーブエリアは、予備領域であり、ＡＤＩＰアドレスが０００６から始まる領域に形成されている。アラートサウンドトラックエリアは、アラートサウンドトラックが記録されており、ＡＤＩＰアドレスが００３２から始まる領域に形成されている。アラートサウンドトラックは、従来ＭＤのディスクドライバ装置に次世代ＭＤ１を挿入したとしても、この媒体が従来ＭＤのディスクドライバ装置に対応していないことを知らせるための情報が格納されている。この情報は、「このディスクは、この再生装置に対応していないフォーマットです。」等の音声データ、或いは警告音データとしてもよい。また、表示部を備えるディスクドライバ装置であれば、この旨を表示するためのデータであってもよい。
【００４９】
このようなＵＴＯＣエリアからアラートサウンドトラックエリアまでの領域は、ＥＦＭ変調方式による従来ＭＤの書き込み方式によってデータが記録される従来ＭＤ互換領域となっている。このため、ＵＴＯＣ及びアラートサウンドトラックは、従来ＭＤに対応したディスクドライバ装置でも読取可能となっている。
【００５０】
ガードバンドエリアは、従来ＭＤ互換領域と次世代ＭＤ領域との間を分離するための保護用の隙間領域であり、ＡＤＩＰアドレスが００３３から００３４までの領域に形成されている。
【００５１】
第２のリザーブエリアは、予備領域であり、ＡＤＩＰアドレスが００３４から始まる領域に形成されている。
【００５２】
ＤＤＴ，ＳＲＢエリアは、各クラスタの公開可・不可等の属性を管理し、著作権保護のための情報、データ改竄チェックのための情報等である、ＤＤＴ（Disc Description Table）及びＳＲＢ（Signal Recording Bitmap）と呼ばれる情報等が記録される領域であり、ＡＤＩＰアドレスが００３６から始まる領域に形成されている。ＤＤＴ，ＳＲＢエリアは、特別に許可された特定外部機器のみが限定的にアクセスできるようになっており、このアクセス可能な外部機器を認証する情報も含まれている。また、ＤＤＴ，ＳＲＢエリアは、このほかの各種の非公開情報を記録することができる。
【００５３】
ファイルシステム管理情報エリアには、ユーザエリアに記録される各種データをファイル単位で管理するためのファイル管理情報が記録される領域である。ユーザエリアは、当該次世代ＭＤ１に記録するオーディオデータやコンピュータデータ等の実体データが記録される領域である。
【００５４】
ファイルシステム管理情報エリア及びユーザエリアは、ＡＤＩＰアドレスが００３Ｅ及びＬＢＮが００２０からディスク外周までの領域に形成されている。ファイルシステム管理情報エリア及びユーザエリアは、当該次世代ＭＤ１がコンピュータのストレージデバイスとして用いられた場合に、当該コンピュータによりアクセスが可能な領域（ＰＣ管理領域）である。ファイル管理情報としては、ＦＤやＨＤＤ等にも記録されるファイル管理情報であり、具体的には、記録可能なディスク領域の先頭の論理アドレスに記録されるパーティションブートレコード（PBR）、ユーザ領域の使用状況を示したテーブルであるファイルアロケーションテーブル（FAT）と、ファイルの階層構造の先頭を示すルートディレクトリエントリ、サブディレクトリエントリ等の情報が記録される。このファイル管理情報が記録されることによって、コンピュータはユーザエリアに対してファイルの記録及び読み出しが可能となる。
【００５５】
以上の第２のリザーブエリアからユーザエリアまでの領域は、１-７ＰＰ変調方式による次世代ＭＤの書き込み方式によってデータが記録される次世代ＭＤ領域となっている。
【００５６】
図６は、次世代ＭＤ２のレコーダブルエリアに記録される情報の構造を示している。
【００５７】
次世代ＭＤ２は、レコーダブルエリアの全領域が、全て１−７ＰＰ変調を用いた次世代ＭＤの書き込み方式で書き込まれる次世代ＭＤ領域で形成されている。
【００５８】
次世代ＭＤ２には、内周側からＡＤＩＰによるアドレス（１６進数）が設けられている。また、次世代ＭＤ２には、記録されているデータをファイル単位で管理するため、ファイルシステムでのアクセス単位であるクラスタ毎に、論理アドレス（ＬＣＮ：１６進数）も設定されている。次世代ＭＤ２の場合、物理的なアクセス位置はウォブルに記録されているＡＤＩＰに基づき行わなければならないので、ＬＣＮは、ＡＤＩＰアドレスを所定規則で変換して得られる単位となっている。具体的には、ＡＤＩＰアドレスの１単位の容量が、ＬＣＮの１クラスタに対応付けがされており、ファイルシステムの管理情報の開始アドレスのＬＣＮ（０２００）が、所定のＡＤＩＰアドレス（００３０）に対応した位置となるように設定されている。
【００５９】
次世代ＭＤ２には、内周側から、ＰＣＡエリア、スペースエリア、ＤＤＴ，ＳＲＢエリア、ファイルシステム管理情報エリア、及び、ユーザエリアが形成されている。
【００６０】
次世代ＭＤ２は、ＰＴＯＣエリアを持たない。そのため、ディスクの総容量、パワーキャリブレーションエリアの位置、データエリアの開始位置、データエリアの終了位置（リードアウト位置）等のディスク管理情報は、ＡＤＩＰ情報にＰＤＰＴ（Preformat Disc Parameter Table）として記録されている。
【００６１】
ＰＣＡエリアは、レーザの書込出力を調整するためのパワーキャリブレーションを行う領域であり、ＡＤＩＰアドレスが００００から始まる領域に形成されている。ＤＤＴ，ＳＲＢエリアは、ＡＤＩＰアドレスが００２０から始まる領域に形成されている。その内容は、次世代ＭＤ１と同様である。
【００６２】
ファイルシステム管理情報エリアには、次世代ＭＤ１と同様のファイル管理情報が記録され、ユーザエリアには、当該次世代ＭＤ２に記録するオーディオデータやコンピュータデータ等の実体データが記録される。ファイルシステム管理情報エリア及びユーザエリアは、ＡＤＩＰアドレスが００３０及びＬＢＮが００２０からディスク外周までの領域に形成されている。
【００６３】
３．従来ＭＤ及び次世代ＭＤのデータの管理方法
前述したように、従来ＭＤは、オーディオデータをタイトル単位で管理するＴＯＣ（Table Of Contents）と呼ばれる管理情報に基づき、ディスク上のデータが管理されており、スタンドアローンで動作することが前提とされている。それに対して、次世代ＭＤ１及び次世代ＭＤ２は、ＦＡＴ等のファイル管理情報が記録され、ファイル単位でデータが管理され、コンピュータによるアクセスが可能となっている。
【００６４】
また、次世代ＭＤ１及び次世代ＭＤ２に記録されるオーディオデータは、所望の圧縮方式で圧縮され、著作者の権利の保護のために、暗号化される。次世代ＭＤ１及び次世代ＭＤ２のオーディオデータの圧縮方式としては、例えば、ＡＴＲＡＣ３、ＡＴＲＡＣ５等を用いる。また、次世代ＭＤ１及び次世代ＭＤ２は、オーディオデータばかりでなく、静止画データや動画データを扱うことも可能である。勿論、ファイル単位でデータが管理されるので、汎用のデータの記録再生を行うこともできる。
【００６５】
また、次世代ＭＤ１及び次世代ＭＤ２にオーディオデータを記録再生するときの管理方式は、次の通りである。
【００６６】
次世代ＭＤ１のシステムや次世代ＭＤ２のシステムでは、長時間で高音質の音楽データが再生できるようにしたことから、１枚のディスクで管理される楽曲の数も、膨大になっている。また、ＦＡＴ等のファイル管理情報を使って管理することで、コンピュータとの親和性が図られている。このことは、使い勝手の向上が図れるというメリットがある。
【００６７】
図７は、次世代ＭＤ１及び次世代ＭＤ２に適用されるオーディオデータの管理方式を示した図である。図７に示すように、次世代ＭＤ１及び次世代ＭＤ２では、ルートディレクトリに、“ＨＭＤＨＩＦＩ”というサブディレクトリが形成され、そのサブディレクトリの下に、トラックインフォメーションファイル（ＴＩＦ）と、オーディオデータファイルとが生成される。トラックインフォメーションファイル及びオーディオデータファイルは、ファイルシステムで管理されるファイルである。
【００６８】
オーディオデータファイルは、図７に示すように、複数のオーディオデータが１つのファイルに納められたものであり、ファイルシステム上でオーディオデータファイルをみると、巨大な１つのファイルに見える。オーディオデータファイルは、その内部がパーツとして区切られ、オーディオデータは、パーツの集合として扱われる。
【００６９】
トラックインフォメーションファイルは、オーディオデータファイルに納められた音楽データを管理するための各種の情報が記述されたファイルである。トラックインフォメーションファイルには、各オーディオデータ（パーツ）のＡＴＩＰアドレスを示す情報、録音時間情報、タイトル、アーチスト名、アルバム名等々の情報が含まれている。
【００７０】
４．ディスク記録再生装置の構成
つぎに、ディスク記録再生装置１の構成についてさらに説明をする。
【００７１】
図８にディスク記録再生装置１のブロック構成図を示す。
【００７２】
ディスク記録再生装置１は、ディスク９０に対してデータの書き込み及び読み出しを行うメディアドライブ部１１と、ＵＳＢケーブル１０１を介してパーソナルコンピュータ（以下ＰＣという。）１００との間のデータ転送を行うＵＳＢ（Universal Serial Bus）インタフェース回路１２と、キャッシュメモリ１３と、管理情報メモリ１４と、データ転送を制御するメモリ転送コントローラ１５と、メディアドライブ部１１に対して書き込み及び読み出されるオーディオデータに対する処理を行うオーディオ処理部１６と、当該装置の中央制御を行うシステムコントローラ１７と、操作/表示部１８とを備えている。
【００７３】
メディアドライブ部１１には、装着及び取り外しが自在なカートリッジに収納されたディスク９０が装着される。メディアドライブ部１１は、装着されたディスク９０に対するデータの書き込み及び読み出しを行う。ディスク９０は、上述した次世代ＭＤ１のディスク、次世代ＭＤ２のディスク又は従来ＭＤのいづれかである。メディアドライブ部１１の内部構成は後述する。
【００７４】
ＵＳＢインタフェース回路１２は、ＵＳＢコネクタ１２ａに接続されたＵＳＢケーブル１０１を介して、パーソナルコンピュータ１０１との間でＵＳＢのデータ転送規格に準拠したデータの送受信制御を行う回路である。ＵＳＢコネクタ１２ａは、ＵＳＢケーブル１０１が挿入されるコネクタである。ディスク記録再生装置１は、ＵＳＢコネクタ１２ａにＵＳＢケーブル１０１が接続され、且つ、ＰＣ１００にもそのＵＳＢケーブル１０１が接続されることにより、ホスト機器をＰＣ１００とした外付けデバイスの一つとして機能することとなる。
【００７５】
キャッシュメモリ１３は、メディアドライブ部１１によってディスク９０のユーザエリアから読み出されたデータ及びディスク９０に対して書き込むデータを、一時的に記憶するバッファリング回路である。
【００７６】
管理情報メモリ１４は、メディアドライブ部１１によってディスク９０から読み出されたディスク管理情報や各種の特殊情報を記憶する。例えば、メディアドライブ部１１によってディスク９０から読み出された、Ｕ−ＴＯＣ、ＤＤＴ，ＳＲＢ，ＦＡＴ等のファイル管理情報、ＴＩＦ、ユニークＩＤ、ハッシュ値等を記憶する。
【００７７】
メモリ転送コントローラ１５は、キャッシュメモリ１３及び管理情報メモリ１４に対するデータの書き込み及び読み出し制御を行う。
【００７８】
オーディオ処理部１６は、オーディオ信号の入力系として、例えばライン入力回路／マイクロホン入力回路等のアナログ音声信号入力部、アナログ入力されたオーディオ信号をデジタルに変化するＡ/Ｄ変換回路、及び、ディジタルオーディオデータ入力部を備える。また、オーディオ処理部１６は、オーディオ出力系として、ディジタルオーディオデータ出力部、デジタルのオーディオデータをアナログ信号に変換するＤ/Ａ変換回路、ライン出力回路／ヘッドホン出力回路等のアナログ音声信号出力部を備える。また、オーディオ処理部１６は、ＡＴＲＡＣ方式の圧縮/伸張回路を備えている。
【００７９】
システムコントローラ１７は、ディスク記録再生装置１内の全体の制御を行うとともに、接続されたＰＣ１００との間の通信制御を行う。また、システムコントローラ１７は、ＵＳＢインタフェース回路１２を介して接続されたＰＣ１００との間で通信可能とされ、書込要求、読出要求等のコマンドの受信やステイタス情報そのほかの必要情報の送信などを行う。
【００８０】
また、システムコントローラ１７は、ディスク９０がメディアドライブ部１１に装着された際に、ＰＴＯＣ、ＵＴＯＣ、ＦＡＴ等のファイル管理情報、ＤＤＴ，ＳＲＢ、ＴＩＦ等のディスク管理情報の読出をメディアドライブ部１１に指示し、メディアドライブ部１１によって読み出されたディスク管理情報を管理情報メモリ１４に格納させる。システムコントローラ１７は、これらディスク管理情報を参照することによって、ディスク９０のトラック記録状態を把握できる。また、ＦＡＴ等のファイル管理情報を参照することにより、ユーザエリアのクラスタ構造を把握でき、ＰＣ１００からユーザエリアに対するアクセス要求に対応できる状態となる。また、システムコントローラ１７は、ユニークＩＤやハッシュ値により、ディスク認証処理及びその他の処理を実行し、これらの値をＰＣ１００に送信し、ＰＣ１００上でディスク認証処理及びその他の処理を実行させる。
【００８１】
操作/表示部１８は、例えば、再生ボタン、ストップボタン、一時停止ボタン、記録開始ボタン、ジョグダイヤル（回転押下スイッチ）等の各種操作部と、例えばＬＣＤ(Liquid Crystal Display)からなる表示部とから構成されている。操作/表示部１８は、ユーザによる各種操作部からの入力情報をシステムコントローラ１７に供給する。また、操作/表示部１８は、システムコントローラ１７から与えられるテキストデータやＧＵＩ等の情報を表示部に表示する。
【００８２】
このようなディスク記録再生装置１は、ＰＣ１００と接続されずに動作をするスタンドアローン動作と、ＰＣ１００とＵＳＢケーブル１０１で接続されて動作するストレージ動作との２つの動作を行う。
【００８３】
スタンドアローン動作でオーディオ信号をディスク９０に記録する場合には、ディスク記録再生装置１は、オーディオ処理部１６の入力系を介して外部から入力されたオーディオ信号を、オーディオ処理部１６がＡＴＲＡＣ方式で圧縮し、圧縮したオーディオデータをメディアドライブ部１１に転送する。メディアドライブ部１１は、転送されてきたオーディオデータをユーザエリアの空き領域に記録してゆく。
【００８４】
スタンドアローン動作でオーディオ信号をディスク９０から再生する場合には、ディスク記録再生装置１は、操作/表示部１８を介してユーザにより指定がされたタイトルのオーディオデータの再生命令をメディアドライブ部１１に与える。メディアドライブ部１１は、与えられた再生命令に従ってディスク９０からデータを読み出してゆく。オーディオ処理部１６は、メディアドライブ部１１から読み出されたオーディオデータをＡＴＲＡＣ方式で伸張し、伸張したオーディオ信号を出力系を介して外部に出力する。
【００８５】
ストレージ動作でＰＣ１００からディスク９０にデータを記録する場合、ＵＳＢインタフェース回路１２を介してＰＣ１００からディスク記録再生装置１へ書き込みデータとともに書き込み命令が入力される。ディスク記録再生装置１は、入力された書き込みデータをキャッシュメモリ１３に一旦格納したのち、メディアドライブ部１１に転送する。メディアドライブ部１１は、入力されたデータを、書き込み命令により指定されたアドレスのクラスタに書き込みを行う。
【００８６】
ストレージ動作でディスク９０からデータをＰＣ１００へ転送する場合、ＵＳＢインタフェース回路１２を介してＰＣ１００からディスク記録再生装置１へ読み出し命令が入力される。メディアドライブ部１１は、読み出し命令で指定されたアドレスからデータの読み出しを行う。読み出されたデータは、メモリ転送コントローラ１２によってキャッシュメモリ１３に一旦格納される。但し、既にそのデータがキャッシュメモリ１３に既に格納されていた場合、メディアドライブ部１１による読出は必要ない。ディスク記録再生装置１は、キャッシュメモリ１３に格納されているデータを、ＵＳＢケーブル１０１を介してＰＣ１００に転送する。
【００８７】
つぎに、メディアドライブ部１１についてさらに詳細に説明をする。
【００８８】
図９に、メディアドライブ部のブロック構成図を示す。
【００８９】
メディアドライブ部１１は、スピンドルモータ２１と、光学ヘッド２２と、磁気ヘッド２３と、レーザドライバ２４と、ＲＦアンプ部２５と、従来ＭＤ再生処理部２６と、次世代ＭＤ再生処理部２７と、再生セレクタ２８と、従来ＭＤ記録処理部２９と、次世代ＭＤ記録処理部３０と、記録セレクタ３１と、磁気ヘッドドライバ３２と、ＡＤＩＰ復調部３３と、従来ＭＤアドレスデコード部３４と、次世代ＭＤアドレスデコード部３５と、サーボ部３６と、データバッファ３７と、ドライブコントロール３８とを備えている。
【００９０】
スピンドルモータ２１は、メディアドライブ部１１に装填されたディスク９０を回転駆動する。スピンドルモータ２１は、ＣＬＶ方式又はＺＣＡＶ方式でディスク９０を回転駆動する。
【００９１】
光学ヘッド２２は、ディスク９０の記録面側に対向する位置に設けられている。光学ヘッド２２には、記録及び再生時に、ディスク９０の記録面に対してレーザ光を照射するレーザダイオードを有している。レーザダイオードは、記録時には、記録トラックをキュリー温度まで加熱するために高レベルのレーザ出力を行い、再生時には、磁気カー効果により反射光からデータを検出するために比較的低レベルのレーザ出力を行う。レーザダイオードの出力レベルの制御はレーザドライバ２４により行われる。
【００９２】
また、光学ヘッド２２は、ディスク９０に対してレーザ光の照射及び反射光の検出をするための偏光ビームスプリッタや対物レンズ等の光学系、ディスク９０からの反射光量を検出するためのフォトディテクタ、トラッキング制御及びフォーカシング制御を行うために対物レンズを移動可能に保持するアクチュエータ等を備えている。
【００９３】
磁気ヘッド２３は、ディスク９０を挟んで光学ヘッド２２と対向する位置に設けられている。磁気ヘッド２３は、記録時に、記録データによって変調された磁界をディスク９０に対して印加する。
【００９４】
このような光学ヘッド２２及び磁気ヘッド２３は、データの記録時には、高レベルのレーザ光を出射して記録トラックをキュリー温度まで加熱し、記録データに応じて変調された磁界をディスク９０に印加して、ディスク９０の光反射特性を変化させることによって、データを記録する。また、光学ヘッド２２及び磁気ヘッド２３は、データの再生時には、キュリー温度まで加熱させない程度の低レベルのレーザ光を目的のトラックに照射し、磁気カー効果により変化した特性を照射したレーザ光の反射光から検出することによって、データを再生する。また、このような光学ヘッド２２及び磁気ヘッド２３は、スレッド機構によって、ともにディスク半径方向に移動可能に保持されている。
【００９５】
レーザドライバ２４は、光学ヘッド２２内のレーザダイオードの駆動を行う。さらに、レーザドライバ２４は、いわゆるＡＰＣ（Automatic Laser Power Control）を行う。
【００９６】
ＲＦアンプ部２５には、光学ヘッド２２のフォトディテクタが検出した、ディスク９０からの反射光に応じた光電流信号が入力される。ＲＦアンプ部２５は、入力された光電流信号に対して、電流-電圧変換、増幅処理、マトリクス演算処理等を行い、再生信号（ＲＦ信号）、トラッキングエラー信号（ＴＥ信号）、フォーカスエラー信号（ＦＥ信号）、アドレス信号（ＡＤＩＰ信号）を生成して、これらの信号を出力する。なお、ＡＤＩＰ信号は、記録又は再生しているトラックの物理アドレスが示されている信号である。ディスク９０には、トラックのウォブル成分にアドレス情報が変調されている。従って、ＡＤＩＰ信号は、レーザスポットのディスク半径方向に対する揺れの信号成分（プッシュプル信号）に基づき生成される。
【００９７】
従来ＭＤ再生処理部２６は、従来ＭＤの再生時に動作する。従来ＭＤ再生処理部２６は、従来ＭＤの再生時に、ＲＦアンプ部２５から出力されたＲＦ信号が入力される。従来ＭＤ再生処理部２６は、コンパレータ５１と、ＰＬＬ回路５２と、ＥＦＭ復調回路５３と、ＡＣＩＲＣデコード回路５４とを有している。入力されたＲＦ信号は、コンパレータ５１及びＰＬＬ回路５２によりクロック再生及び２値化されたのち、ＥＦＭ復調回路５３でＥＦＭ復調がされる。ＥＦＭ復調がされた再生信号のデータ列は、ＡＣＩＲＣデコード回路５４により誤り訂正処理及びデインタリーブ処理がされる。
【００９８】
次世代ＭＤ再生処理部２７は、次世代ＭＤ１及び次世代ＭＤ２の再生時に動作する。次世代ＭＤ再生処理部２７は、次世代ＭＤ１及び次世代ＭＤ１の再生時に、ＲＦアンプ部２５から出力されたＲＦ信号が入力される。次世代ＭＤ再生処理部２７は、Ａ／Ｄコンバータ（Ａ／Ｄ）５５と、イコライザ（ＥＱ）５６と、ＰＬＬ回路５７と、ＰＲＭＬ回路５８と、１−７ＰＰ復調回路５９と、ＲＳ−ＬＤＣデコード回路６０とを有している。入力されたＲＦ信号は、Ａ／Ｄコンバータ５５，イコライザ５６及びＰＬＬ回路５７でクロック再生及び２値化されたのち、ＰＲＭＬ回路５８でビタビ復号される。ビタビ復号された再生信号のデータ列は、１−７ＰＰ復調回路５９によりＲＬＬ（１−７）復調がされ、ＲＳ−ＬＤＣデコーダ６０により誤り訂正及びデインタリーブ処理がされる。
【００９９】
再生セレクタ２８は、従来ＭＤの再生時には従来ＭＤ再生処理部２６を選択し、従来ＭＤ再生処理部２６から出力された再生データ列をデータバッファ３７に出力する。再生セレクタ２８は、次世代ＭＤ１及び次世代ＭＤ２の再生時には、次世代ＭＤ再生処理部２７を選択し、次世代ＭＤ再生処理部２７から出力された再生データ列をデータバッファ３７に出力する。
【０１００】
従来ＭＤ記録処理部２９は、従来ＭＤの記録時に動作する。従来ＭＤ記録処理部２９は、従来ＭＤの記録時に、データバッファ３７から出力される記録データ列が入力される。従来ＭＤ記録処理部２９は、ＡＣＩＲＣエンコード回路６１と、ＥＦＭ変調回路６２とを有している。入力された記録データ列は、ＡＣＩＲＣエンコード回路６１によりインターリーブ処理及び誤り訂正符号が付加され、ＥＦＭ変調回路６２によりＥＦＭ変調がされる。
【０１０１】
次世代ＭＤ記録処理部３０は、次世代ＭＤ１及び次世代ＭＤ１の記録時に動作する。次世代ＭＤ記録処理部３０は、次世代ＭＤ１及び次世代ＭＤ２の記録時に、データバッファ３７から出力される記録データ列が入力される。次世代ＭＤ記録処理部３０は、ＲＳ−ＬＤＣエンコード回路６３と、１−７ＰＰ変調回路６４とを有している。入力された記録データ列は、ＲＳ−ＬＤＣエンコード回路６３によりインターリーブ及び畳み込み符号化がされ、１−７ＰＰ変調回路６４によりＲＬＬ（１−７）変調がされる。
【０１０２】
記録セレクタ３１は、従来ＭＤの記録時には従来ＭＤ記録処理部２９を選択し、従来ＭＤ記録処理部２９から出力されたＥＦＭ変調後の記録データ列を、磁気ヘッドドライバ３２に供給する。記録セレクタ２４は、次世代ＭＤ１又は次世代ＭＤ２の記録時には次世代ＭＤ記録処理部３０を選択し、次世代ＭＤ記録処理部３０から出力された１−７ＰＰ変調後の記録データ列を、磁気ヘッドドライバ３２に供給する。
【０１０３】
磁気ヘッドドライバ３２は、入力された記録データに応じて磁気ヘッド２３を駆動し、記録データに応じて変調された磁界をディスク９０に印加させる。
【０１０４】
ＡＤＩＰ復調部３３は、ＲＦアンプ部２５から出力されたＡＤＩＰ信号が入力される。ＡＤＩＰ復調部３３は、ＡＤＩＰ信号に対してバンドパスフィルタにより帯域制限をしてウォブル成分を抽出したのち、ＦＭ復調、バイフェーズ復調を行って、ＡＤＩＰアドレス信号を復調する。
【０１０５】
従来ＭＤアドレスデコード部３４は、従来ＭＤ及び次世代ＭＤ１の記録及び再生時に動作する。従来ＭＤアドレスデコード部３４は、従来ＭＤ及び次世代ＭＤ１の記録又は再生時に、ＡＤＩＰ復調部３３から出力されたＡＤＩＰアドレス信号が入力される。従来ＭＤアドレスデコード部３４は、入力されたＡＤＩＰアドレス信号から、ディスク９０上のトラックの絶対アドレスをデコードし、デコードした絶対アドレスをドライブコントロール３８に供給する。
【０１０６】
次世代ＭＤアドレスデコード部３５は、次世代ＭＤ２の記録及び再生時に動作する。次世代ＭＤアドレスデコード部３５は、次世代ＭＤアドレスデコード部３５は、次世代ＭＤ２の記録又は再生時に、ＡＤＩＰ復調部３３から出力されたＡＤＩＰアドレス信号が入力される。次世代ＭＤアドレスデコード部３５は、入力されたＡＤＩＰアドレス信号から、ディスク９０上のトラックの絶対アドレスをデコードし、デコードした絶対アドレスをドライブコントロール３８に供給する。
【０１０７】
サーボ回路３６は、ＲＦアンプ部２５から出力されたフォーカスエラー信号（ＦＥ信号）に基づき２軸アクチュエータを駆動して、レーザ光の焦点位置をディスク９０に対して接離する方向に移動させるフォーカシングサーボ制御を行う。また、サーボ回路３６は、ＲＦアンプ部２５から出力されたトラッキングエラー信号（ＴＥ信号）に基づき２軸アクチュエータを駆動して、レーザ光の照射位置をディスク９０の半径方向に移動させるトラッキングサーボ制御を行う。
【０１０８】
サーボ回路３６は、並びに、記録又は再生中のトラックのアドレス情報から算出された目標回転速度に基づき、ディスク９０が目的とする回転速度となるように、スピンドルモータ２１を駆動する。
【０１０９】
データバッファ３７は、本メディアドライブ部１１と接続されるメモリ転送コントローラ１２との間でやり取りがされるデータを格納する。データバッファ３７には、メディアドライブ部１１によりディスク９０から再生されたデータ、本メディアドライブ部１１によりディスク９０に記録するデータ、並びに、各種の制御データが格納される。
【０１１０】
ドライブコントロール３８は、本メディアドライブ部１１の全体の制御を行う。
【０１１１】
ドライブコントロール３８は、記録時と再生時とで、レーザダイオードのレーザパワーの切り換え制御を行ったり、再生系の回路を使用するか、記録系の回路を使用するかを切り換えたりする。また、ドライブコントロール３８は、装填されたディスク９０の種類に応じて、従来ＭＤ再生処理部２６又は次世代ＭＤ再生処理部２７の選択、従来ＭＤ記録処理部２９又は次世代ＭＤ記録処理部３０の選択、従来ＭＤアドレスデコード部３４又は次世代ＭＤアドレスデコード部３５の選択を行う。
【０１１２】
以上のようにメディアドライブ部１１は、記録処理系として、従来ＭＤの記録のためのＥＦＭ変調・ＡＣＩＲＣエンコードを実行する構成（従来ＭＤ記録処理部２９）と、次世代ＭＤ１及び次世代ＭＤ２の記録のためのＲＬＬ（１−７）ＰＰ変調・ＲＳ−ＬＤＣエンコードを実行する構成（次世代ＭＤ記録処理部３０）とを備えており、これらが装着されているディスク９０の種類に応じて適応的に切り換えられる。また、メディアドライブ部１１は、再生処理系として、従来ＭＤの再生のためのＥＦＭ復調・ＡＣＩＲＣデコードを実行する構成（従来ＭＤ再生処理部２６）と、次世代ＭＤ１及び次世代ＭＤ２の再生にＰＲ（１，２，１）ＭＬ及びビタビ復号を用いたデータ検出に基づくＲＬＬ（１−７）復調・ＲＳ−ＬＤＣデコードを実行する構成（次世代ＭＤ再生処理部２７）を備えており、これらが装着されているディスク９０の種類に応じて適応的に切り換えられる。
【０１１３】
以後、ＥＦＭ変復調・ＡＣＩＲＣエンコード/デコードをして、データの記録再生をするモードのことを、従来ＭＤの記録再生モードという。また、ＲＬＬ（１−７）ＰＰ変復調・ＲＳ−ＬＤＣエンコード/デコードをして、データの記録再生をするモードのことを、次世代ＭＤの記録再生モードという。
【０１１４】
５．ディスク記録再生装置の動作
つぎに、ディスク記録再生装置１に対して、ディスクが装着されたときの初期動作について説明をする。
【０１１５】
図１０に、ディスク記録再生装置１に対して、カートリッジに収納されたディスク９０が装着されたときの動作フローを示す。
【０１１６】
まず、ディスク記録再生装置１は、ディスク９０がディスク記録再生装置１に装着されと（ステップＳ１０１）、記録再生モードを従来ＭＤの記録再生モード（ＥＦＭ変復調をして記録再生するモード）に設定し、ディスク９０のリードイン領域を読み出して、装着されているディスク９０が、次世代ＭＤ２であるか否か、それ以外のディスク（従来ＭＤ又は次世代ＭＤ１）であるかの判別をする（ステップＳ１０２）。
【０１１７】
次世代ＭＤ２であるか否かの判別は、例えばディスク９０のリードイン領域を読み込み、当該リードイン領域にエンボスピットによるＰ−ＴＯＣが存在するか否かを検出すれば行うことができる。すなわち、リードイン領域にＰ−ＴＯＣが検出されれば従来ＭＤ又は次世代ＭＤ１であると判断でき、リードイン領域にＡＤＩＰ信号によるコントロール情報が検出されてエンボスピットによるＰ−ＴＯＣが検出されなければ、装着されているディスクが次世代ＭＤ２であると判断できる。なお、次世代ＭＤ１と次世代ＭＤ２との判別は、このような方法に限定されるものではない。例えば、オントラックのときとオフトラックのときとのトラッキングエラー信号の位相から判別することも可能である。また、ディスク識別用の検出孔等を設けるようにしてもよい。
【０１１８】
ステップＳ１０２でディスク判別した結果、次世代ＭＤ２であれば、当該フローを抜け、以後、次世代ＭＤの記録再生モード（１-７ＰＰ変復調をして記録再生するモード）に切り換えて、次世代ＭＤ２に対する通常の動作処理を行う。ディスク判別をした結果、次世代ＭＤ２でなければ、すなわち、従来ＭＤ又は次世代ＭＤ１であれば、続くステップＳ１０３に進む。
【０１１９】
続いて、ディスク記録再生装置１は、記録再生のモードを従来ＭＤの再生モードに設定したままの状態で、Ｕ−ＴＯＣを読み出し、装着されているディスク９０がブランクディスクであるか否かを判断する（ステップＳ１０３）。ディスク記録再生装置１は、Ｕ−ＴＯＣがまだ記録されていないか、又は、Ｕ−ＴＯＣに「当該ディスクはブランクディスクである」旨の情報が記録されている場合には、装着されているディスク９０がブランクディスクであると判断する。
【０１２０】
ディスク記録再生装置１は、ステップＳ１０３において、ブランクディスクではないと判断した場合にはステップＳ１０４に進み、ブランクディスクであると判断した場合にはステップＳ１０８に進む。
【０１２１】
ディスク記録再生装置１は、ステップＳ１０３においてブランクディスクではないと判断した場合、装着されているディスク９０が、次世代ＭＤ１であるか否かを判断する。ディスク記録再生装置１は、Ｕ−ＴＯＣにより管理されているトラックの１つに、ファイルシステムの管理情報が存在するか否かで判断する。ディスク記録再生装置１は、ファイルシステムの管理情報が記録されたトラックが存在する場合には、装着されているディスク９０が次世代ＭＤ１であると判断し、存在しない場合には装着されているディスク９０が次世代ＭＤ１ではない、すなわち、従来ＭＤであると判断する。また、次世代ＭＤ１であるか否かは、アラートサウンドトラックが記録されているか否かで判断したり、或いは、Ｕ−ＴＯＣの所定の領域に「次世代ＭＤ１でフォーマットがされている」旨を示す情報を記録しておき当該情報を検出して判断したりしてもよい。
【０１２２】
ディスク記録再生装置１は、ステップＳ１０４においてディスク９０が従来ＭＤであると判断した場合には、Ｕ-ＴＯＣの情報を管理情報メモリ１４に格納し（ステップＳ１０５）、以後、従来ＭＤの記録再生モード（すなわち、ＥＦＭ変復調をして記録再生するモード）の状態のままで、ディスク９０に対する通常の動作を行う。
【０１２３】
なお、従来ＭＤの記録再生モードによりディスクからＵ-ＴＯＣの情報を読み出し、そのＵ−ＴＯＣの情報を管理情報メモリ１４に展開することを、以後、ＴＯＣリード処理という。また、管理情報メモリ１４に展開されているＵ−ＴＯＣの情報を、従来ＭＤの記録再生モードによりディスクに書き戻すことを、以後、ＴＯＣライト処理という。
【０１２４】
また、ディスク記録再生装置１は、ステップＳ１０４においてディスク９０が次世代ＭＤ１であると判断した場合には、Ｕ-ＴＯＣの情報を読み出し（ステップＳ１０６）、続いて、次世代ＭＤの記録再生モード（すなわち、１-７ＰＰ変復調をして記録再生するモード）に切り換えて、ＤＤＴ，ＳＲＢ，ＦＡＴ等のファイル管理情報及びトラックインデックスファイル等のディスク管理情報を読み出し、読み出したディスク管理情報を管理情報メモリ１４に格納する（ステップＳ１０７）。以後、ディスク記録再生装置１は、次世代ＭＤの記録再生モードの状態のままで、ディスク９０に対する通常の動作を行う。
【０１２５】
なお、次世代ＭＤの記録再生モードによりディスク９０からＤＤＴ，ＳＲＢ，ＦＡＴ等のファイル管理情報及びトラックインデックスファイル等のディスク管理情報を読み出し、読み出したディスク管理情報を管理情報メモリ１４に展開することを、以後、システムリード処理という。また、管理情報メモリ１４に展開されているＤＤＴ，ＳＲＢ，ＦＡＴ等のファイル管理情報及びトラックインデックスファイル等のディスク管理情報を、次世代ＭＤの記録再生モードによりディスク９０に書き戻すことを、以後、システムライト処理という。
【０１２６】
また、以上のようにディスク管理情報を管理情報メモリ１４に格納すると、管理情報メモリ１４内には、装着されているディスク９０から読み出された、図１１に示すように情報が展開される。すなわち、管理情報メモリ１４内には、ＤＤＴ及びＳＲＢ２０１と、ＰＢＲ，ＦＡＴ，ルートディレクトリエントリ等のファイルシステム管理情報２０２、ＨＭＤＨＩＦＩサブディレクトリのエントリ２０３と、ＨＭＤＨＩＦＩサブディレクトリの下に記録されているトラックインフォメーションファイル２０４と、その他の管理情報２０５と、オーディオデータブロック２０６とが展開される。ここで、オーディオデータブロック２０６とは、ＨＭＤＨＩＦＩサブディレクトリの下のオーディオファイルに含まれているオーディオデータを、トラック単位（すなわち、楽曲単位）で管理するための情報である。具体的には、オーディオデータブロック２０６には、トラック毎に、トラック番号，ディスク上の記録位置に関する情報，プレイモード，アーチスト名及びアルバム名を示す情報等が含まれている。ディスク記録再生装置１は、次世代ＭＤ１の再生を行う場合には、これらの管理情報メモリ１４内に格納されている情報を参照して制御を行う。また、ディスク記録再生装置１は、記録したデータに応じて管理情報メモリ１４内の情報を更新し、オーディオデータの記録終了後やディスク９０の取り外しの直前に、システムライト処理を行う。
【０１２７】
続いて、ディスク記録再生装置１は、ステップＳ１０３においてブランクディスクであると判断した場合、現在設定されているディスクモードを判断する（ステップＳ１０８）。
【０１２８】
ディスクモードとは、従来ＭＤ又は次世代ＭＤ１のブランクディスクが挿入されたときに、従来ＭＤの記録再生モード（ＥＦＭ変復調をして記録再生するモード）で動作するか、或いは、次世代ＭＤの記録再生モード（１−７ＰＰ変復調をして記録再生するモード）で動作するかを決定するためのモードである。ディスクモードは、操作メニュー等を介してユーザにより予め設定されているか、或いは、工場出荷時に初期設定されていたりする動作設定の項目の一つであり、ディスク記録再生装置１内部の例えば不揮発性メモリに設定情報が記憶されている。
【０１２９】
ディスク記録再生装置１は、現在設定されているディスクモードが従来ＭＤの記録再生モードであると判断した場合には、以後、従来ＭＤの記録再生モードの状態のままで、ディスク９０に対する通常の動作を行う。
【０１３０】
ディスク記録再生装置１は、現在設定されているディスクモードが次世代ＭＤの記録再生モードであると判断した場合には、みなしフォーマット処理を行う。なお、みなしフォーマットについては詳細を後述する。
【０１３１】
以上、従来ＭＤ又は次世代ＭＤ１が装着されたときの動作について説明をしたが、ディスク記録再生装置１は、従来ＭＤ又は次世代ＭＤ１が装着されている最中に初期化命令（従来ＭＤであればオールイレース命令，次世代ＭＤ１ではフォーマット命令）が与えられた場合にも、以上のステップＳ１０１からステップＳ１０８までの処理を行う。
【０１３２】
つぎに、みなしフォーマット処理について説明をする。
【０１３３】
図１２に、みなしフォーマット時のディスク記録再生装置１の動作フローを示す。
【０１３４】
みなしフォーマット処理は、（１）上述したステップＳ１０８の従来ＭＤ又は次世代ＭＤ１のブランクディスクが挿入されており且つディスクモードが次世代ＭＤ１である場合、（２）従来ＭＤ又は次世代ＭＤ１のディスクが挿入されている状態で初期化操作がされ且つディスクモードが次世代ＭＤ１である場合、（３）次世代ＭＤ２のブランクディスクが挿入された場合、（４）次世代ＭＤ２の初期化操作がされた場合に、開始される。
【０１３５】
みなしフォーマットが開始されると、まず、ディスク記録再生装置１は、管理情報メモリ１４内にディスク管理情報を展開する（ステップＳ２０１）。ここで管理情報メモリ１４内に展開されるディスク管理情報は、ディスク記録再生装置１が予め内部ＲＯＭ等に格納しておいた情報であり、初期化した直後のディスクからシステムリード処理を行った場合に展開される情報と同じ情報となっている。
【０１３６】
続いて、ディスク記録再生装置１は、ＵＳＢケーブル１０１が挿入されＰＣ１００と接続されたか（ステップＳ２０２）、又は、オーディオ信号の入力がされたかを判断し（ステップＳ２０３）、それまで処理を待機する。もし、ここで、ディスク９０が排出された場合、当該ディスク９０にはなんら情報が書きこまれていない状態で排出をすることができる。
【０１３７】
ステップＳ２０３においてオーディオ信号の入力がされた場合、ディスク記録再生装置１は、次世代ＭＤの記録再生モードで、入力されたオーディオ信号をディスク９０に記録する（ステップＳ２０４）。
【０１３８】
続いて、オーディオ信号の入力が停止すると、ディスク記録再生装置１は、次世代ＭＤの記録再生モードで、システムライト処理を行う（ステップＳ２０５）。
【０１３９】
続いて、ディスク記録再生装置１は、挿入されているディスク９０がもし次世代ＭＤ１であれば従来ＭＤの記録再生モードに切り換えてＴＯＣライトを行い（ステップＳ２０６）、以後、通常の次世代ＭＤに対する動作を行う。また、挿入されているディスク９０が次世代ＭＤ２であればなんら処理を行わずそのままの状態で、みなしフォーマットの処理を終了して、以後、通常の次世代ＭＤに対する動作を行う。
【０１４０】
一方、ステップＳ２０２でＰＣ１００の接続がされた場合には、続いて、ＰＣ１００からＦＡＴ等のファイル管理情報の読み出し命令が発行されるまで待機する（ステップＳ２０７）。
【０１４１】
ＰＣ１００からＦＡＴ等のファイル管理情報の読み出し命令が発行されると、続いて、ディスク記録再生装置１は、ディスク管理情報のうちのＰＣ１００に対して参照させるデータをキャッシュメモリ１３にコピーする（ステップＳ２０８）。具体的には、図１３に示すように、管理情報メモリ１４内に格納されているファイル管理情報２０２、ＨＭＤＨＩＦＩディレクトリエントリ２０３、ＴＩＦ２０４等、キャッシュメモリ１３にコピーする。キャッシュメモリ１３は、メディアドライブ部１１によってディスク９０のユーザエリアから読み出されたデータ及びディスク９０に対して書き込むデータを、一時的に記憶するバッファリング回路である。従って、キャッシュメモリ１３に以上の情報を転送することによって、ＰＣ１００の読み出し命令にヒットするので、ファイル管理情報（ＦＡＴ等）をＰＣ１００に送出することができる。
【０１４２】
すなわち、ディスク記録再生装置１は、ＰＣ１００に対してはあたかもディスク９０からファイル管理情報が読み出されたようにみせているが、実際にはディスク９０にはなんらファイル管理情報を記録していない。従って、ＰＣ１００からアクセスが可能となっているにもかかわらず、もし、ここで、ディスク９０が排出された場合、当該ディスク９０にはなんら情報が書きこまれていない状態で排出をすることが可能となる。
【０１４３】
続いて、ステップＳ２０９において、ディスク記録再生装置１は、ＰＣ１００から最初のデータ書き込み命令が発行されるのを待機する（ステップＳ２０９）。
【０１４４】
ＰＣ１００から最初のデータの書き込み命令が発行されると、続いて、その書き込み命令に伴うデータを、次世代ＭＤの記録再生モードでディスク９０に書き込む（ステップＳ２１０）。
【０１４５】
それとともに、ディスク記録再生装置１は、最初の書き込み命令が発行された以後、適宜、ＰＣ１００からディスク９０に対してアクセスがされていない空き時間に、適宜、システムライト処理，ＴＯＣライト処理及びアラートサウンドトラックの記録を行っていく（ステップＳ２１０）。すなわち、ディスク記録再生装置１は、管理情報メモリ１４に格納されているＤＤＴ，ＳＲＢ２０１、ファイルシステム管理情報２０２、ＨＭＤＨＩＦＩディレクトリエントリ２０３、その他の管理情報２０５等を、次世代ＭＤの記録再生モードでディスク９０に書き込むとともに、もし、ディスク９０が次世代ＭＤ１であれば、アラートサウンドトラック及びＵ−ＴＯＣの記録を行う。
【０１４６】
そして、システムライト、並びに、アラートサウンドトラック及びＵ−ＴＯＣの記録が終了すると、以後、通常の次世代ＭＤに対する動作を行う。
【０１４７】
以上のようにディスク記録再生装置１では、みなしフォーマットを採用している。通常、ストレージデバイスがＰＣ１００に認識されるには、そのストレージデバイスがフォーマットされている状態（すなわち、ＦＡＴ等が書き込まれた状態）でなければならない。しかしながら、ディスク記録再生装置１では、管理情報メモリ１４にディスク管理情報を展開しておき擬似的にＰＣ１００にアクセス可能とし、最初の書き込み命令があったのちにフォーマットを行うという、みなしフォーマットを行う。このことにより、ディスク記録再生装置１では、従来ＭＤ及び次世代ＭＤ１で共通に用いられるブランクディスクが装着された場合、実際にデータを書きこむまではディスクはブランクの状態とすることができる。
【０１４８】
さらに、ディスク記録再生装置１では、従来ＭＤ及び次世代ＭＤ１で共通に用いられるブランクディスクが装着されたときに、そのブランクディスクをオーディオフォーマットである従来ＭＤとして使用するか、ＰＣストレージ用のフォーマットである次世代ＭＤ１として使用するかを示すディスクモードが設定されている。
【０１４９】
そのため、ブランクディスクを装着したときに、ユーザが、毎回、従来ＭＤとして使用するか、次世代ＭＤ１として使用するかを選択しなくてもよく、非常に使い勝手がよい。
【０１５０】
また、ディスク記録再生装置１では、操作/表示部１８に対して、装着されているディスクが従来ＭＤであることを示す図１４（Ａ）に示すような従来ＭＤマーク２１０の表示、又は、装着されているディスクが次世代ＭＤであることを示す図１４（Ｂ）に示すような次世代ＭＤマーク２１１の表示を行っている。ただし、装着されているディスクが従来ＭＤであるか、次世代ＭＤであるかは、ＴＯＣの読み出しが完了しなければ判断することができない。そこで、ディスク記録再生装置１では、ディスクが装着されてＴＯＣの読み出しが完了する前までの期間に録音操作がされた場合には、現在設定されているディスクモードに応じて、図１５（Ａ）に示すような点滅した従来ＭＤマーク２１０の表示、又は、図１５（Ｂ）に示すような点滅した次世代ＭＤマーク２１１の表示を行うようにする。
【０１５１】
なお、ディスク記録再生装置１では、図１２のステップＳ２０９の書き込み命令の後に、システムライト、ＴＯＣライト等を開始するようにしているが、読み出し命令（ステップＳ２０７）のちにシステムライト、ＴＯＣライト等を開始するようにしてもよい。また、ステップＳ２０２のＰＳ接続の確認がされたのちに、さらに、ＰＣ１００の画面上やディスク記録再生装置１の表示部に、例えば「次世代ＭＤのフォーマットを行います。ＯＫ/キャンセル」といった表示を行ってユーザに対してフォーマットを行うか否かの確認を行わせても良い。
【図面の簡単な説明】
【０１５２】
【図１】次世代ＭＤ１及び次世代ＭＤ２並びに従来ＭＤの仕様を説明する図である。
【図２】従来ＭＤ及び次世代ＭＤ１のディスク上のエリア構成を説明する模式図である。
【図３】次世代ＭＤ２のディスク上のエリア構成を説明する模式図である。
【図４】従来ＭＤのレコーディングエリアのデータフォーマットを説明する模式図である。
【図５】次世代ＭＤ１のレコーディングエリアのデータフォーマットを説明する模式図である。
【図６】次世代ＭＤ２のレコーディングエリアのデータフォーマットを説明する模式図である。
【図７】次世代ＭＤ１，２のオーディオデータの管理方法について説明するための図である。
【図８】ディスク記録再生装置のブロック構成図である。
【図９】メディアドライブ部のブロック構成図である。
【図１０】ディスク装着時のディスク記録再生装置の動作フローを示す図である。
【図１１】システムリードをした後に管理情報メモリに展開される情報を示す図である。
【図１２】みなしフォーマットの処理フローを示す図である。
【図１３】みなしフォーマット時に管理情報メモリからキャッシュメモリへコピーされる情報を示す図である。
【図１４】装着されているディスクの種類を示す表示を説明するための図である。
【図１５】装着されているディスクの種類がわからない場合でのディスクの種類を示す表示を説明するための図である。
【符号の説明】
【０１５３】
１  ディスク記録再生装置、１１  メディアドライブ部、１２  ＵＳＢインタフェース、１３  キャッシュメモリ、１４  管理情報メモリ、１５  メモリ転送コントローラ、１６  オーディオ処理部、１７  システムコントローラ、１８  操作/表示部、９０  ディスク、１００  パーソナルコンピュータ
【図１】
2005203003.tif 000003
【図２】
2005203003.tif 000004
【図３】
2005203003.tif 000005
【図４】
2005203003.tif 000006
【図５】
2005203003.tif 000007
【図６】
2005203003.tif 000008
【図７】
2005203003.tif 000009
【図８】
2005203003.tif 000010
【図９】
2005203003.tif 000011
【図１０】
2005203003.tif 000012
【図１１】
2005203003.tif 000013
【図１２】
2005203003.tif 000014
【図１３】
2005203003.tif 000015
【図１４】
2005203003.tif 000016
【図１５】
2005203003.tif 000017